(57)【要約】【課題】  従来の電源電圧遮断方法によっては大規模な停波や、復旧に長時間を要する等の不都合が起こっていた。【解決手段】  タップオフの蓋に、タップオフ本体に代えて、高周波系路、電源電圧系路、分岐端子を備えないダミー治具を取付けて、ダミー治具により蓋の短絡材を押して短絡材を蓋の入力側端子と出力側端子から分離させ、入力側端子に入力される高周波信号及び電源電圧のうち少なくとも電源電圧が出力側端子に出力されず、高周波信号が分岐端子に出力されないように遮断する電源電圧遮断方法。また、前記タップオフ本体に代えて蓋に取り付ける電源遮断用ダミー治具。前記ダミー治具を蓋に螺子止めするか、挟着治具により蓋と共に挟着して固定するダミー治具の固定装置。さらに、前記挟着治具はダミー治具の底面にあてがう底面あて部と、蓋の上面を押える回転レバーとを備えるものとした。【選択図】図１
2005051502.tif 000002
【特許請求の範囲】
【請求項１】
入力側同軸ケーブルを接続可能な入力側端子と、出力側同軸ケーブルを接続可能な出力側端子と、両端子を短絡可能な短絡材を備えた蓋と、
入力側端子に入力された高周波信号が通る高周波系路と、入力側端子に入力された電圧が通る電源電圧系路と、高周波信号を分岐する分岐端子とを備え、前記蓋に脱着可能なタップオフ本体とから構成され、
前記蓋にタップオフ本体が取付けられると、前記短絡材がタップオフ本体により押されて蓋の入力側端子と出力側端子の双方またはいずれか一方から離れ、タップオフ本体の高周波系路と電源電圧系路が入力側端子と出力側端子の双方に接触して、入力側端子に入力された高周波信号は高周波系路を通して、入力側端子に入力された電源電圧は電源電圧系路を通して夫々出力側端子に出力されると共に高周波信号は分岐端子に分岐され、
前記蓋からタップオフ本体を取り外すと、タップオフ本体による短絡材の前記押しが解除されて、短絡材が蓋の入力側端子と出力側端子の双方に接触して、入力側端子に入力された高周波信号及び電源電圧が短絡材を通して出力側端子に出力されるようにしたＣＡＴＶ用タップオフにおいて、
前記蓋にタップオフ本体に代えて、高周波系路、電源電圧系路、分岐端子を備えないダミー治具を取付けて、ダミー治具により蓋の短絡材を押して短絡材を蓋の入力側端子と出力側端子から分離させ、入力側端子に入力される高周波信号及び電源電圧のうち少なくとも電源電圧が出力側端子に出力されず、高周波信号が分岐端子に出力されないように遮断する、
ことを特徴とするタップオフによる電源電圧遮断方法。
【請求項２】
入力側同軸ケーブルを接続可能な入力側端子と、出力側同軸ケーブルを接続可能な出力側端子と、両端子を短絡可能な短絡材を備えた蓋と、入力側端子に入力された高周波信号が通る高周波系路と、入力側端子に入力された電圧が通る電源電圧系路と、高周波信号を分岐する分岐端子とを備え、
前記蓋にタップオフ本体が取付けられると、前記短絡材がタップオフ本体により押されて蓋の入力側端子と出力側端子の双方またはいずれか一方から離れ、タップオフ本体の高周波系路と電源電圧系路が入力側端子と出力側端子の双方に接触して、入力側端子に入力された高周波信号が高周波系路を通して、電源電圧が電源電圧系路を通して夫々出力側端子に出力されると共に高周波信号は分岐端子に分岐され、
前記蓋からタップオフ本体を取り外すと、タップオフ本体による短絡材の前記押しが解除されて、短絡材が蓋の入力側端子と出力側端子の双方に接触し、入力側端子に入力された高周波信号及び電源電圧が短絡材を通して出力側端子に出力されるようにしたＣＡＴＶ用タップオフに、前記タップオフ本体に代えて蓋に取り付けるダミー治具であり、
ダミー治具は前記高周波系路、電源電圧系路、分岐端子を備えず、
前記蓋に取付けると短絡材を押して、短絡材を蓋の入力側端子と出力側端子から分離させて、入力側端子に入力される高周波信号及び電源電圧のうち少なくとも電源電圧が出力側端子に出力されず、高周波信号が分岐端子に出力されないように遮断するものである、
ことを特徴とする電源遮断用ダミー治具。
【請求項３】
請求項２記載の電源遮断用ダミー治具を、入力側同軸ケーブルを接続可能な入力側端子と、出力側同軸ケーブルを接続可能な出力側端子と、両端子を短絡可能な短絡材を備えた蓋にタップオフ本体に代えてセットし、
タップオフ用ダミー治具を蓋に螺子止めするか、
挟着治具により蓋と共に挟着して固定し、
前記螺子止めの解除または前記挟着治具による挟着を解除するとタップオフ用ダミー治具が蓋から離脱する、
ことを特徴とする蓋への電源遮断用ダミー治具の固定装置。
【請求項４】
請求項３記載の蓋への電源遮断用ダミー治具の固定装置において、挟着治具がダミー治具の底面にあてがう底面あて部と、蓋の上面を押える回転レバーとを備え、
前記底面あて部をダミー治具の底面にあてがい、回転レバーを蓋の上に回転させると、底面あて部と回転レバーとにより蓋とタップオフ用ダミー治具とが挟着固定され、
回転レバーを回転させて蓋の上から外すと電源遮断用ダミー治具が蓋から外れるようにした、
ことを特徴とする蓋への電源遮断用ダミー治具の固定装置。
【発明の詳細な説明】
【技術分野】
【０００１】
本発明は、増幅器、タップオフ等のＣＡＴＶ用機器がカスケード接続されたＣＡＴＶ伝送路において、タップオフにより電源電圧を遮断して下流に流れないようにする電源電圧遮断方法と、その方法の実施に使用する電源遮断用ダミー治具と、蓋への電源遮断用ダミー治具の固定装置に関するものである。
【背景技術】
【０００２】
ＣＡＴＶ伝送路には映像信号、音声信号等の高周波信号が伝送される。この場合、通常は、ＣＡＴＶ伝送路に接続されているＣＡＴＶ機器に電源を供給するために、図８に示すように、電源供給器（Power supply：ＰＳ）からの電圧（電源）（通常は数１０V）を電源付加器（Power InjectorまたはPower Inserter：ＰＩ）を通してＣＡＴＶ伝送路に供給している。供給された電源電圧は電源付加器（ＰＩ）の下流側と上流側の双方に供給される。
【０００３】
図８のＣＡＴＶ用機器は同軸ケーブルＣａによって接続されているため、例えば、タップオフＡ１とタップオフＡ２との間にタップオフＡ３を増設する場合、切断箇所Ｂで同軸ケーブルＣａを切断すると、同軸ケーブルＣａの中心導体と外部導体とがショートして、電源供給器（ＰＳ）が遮断されて停波する。それを防止するために、従来は、ケーブル切断前に予め、電源供給器（ＰＳ）からの電源供給を遮断したり、電源付加器（ＰＩ）内のチョークコイルやジャンパー線等を取り外して、切断箇所Ｂへ電源供給を遮断し、その後に、同軸ケーブルＣａを切断している。
【発明の開示】
【発明が解決しようとする課題】
【０００４】
従来の電源供給器（ＰＳ）からの電源供給を遮断する方法では、タップオフＡ３の増設とは関係のない上流側への給電も断たれてしまい、ＣＡＴＶシステムが大規模な停波となる。しかも、電源供給器（ＰＳ）が増設箇所から遠い場所にある場合は、電源供給器（ＰＳ）と増設箇所間の往復に時間がかかり、作業に時間がかかる。また、電源付加器（ＰＩ）内のチョークコイルやジャンパー線等を取り外して電源供給を停止する方法では、その後の修復が困難な場合があり、メーカー修理を要する等、作業に時間がかかる。
【課題を解決するための手段】
【０００５】
本発明は上流側への電源供給は停止せず、下流側への電源供給だけを停止し、しかも、下流側への電源供給を最小限にして、大規模な停波を回避することができるようにすることにある。
【０００６】
本件出願の請求項１記載のタップオフによる電源電圧遮断方法は、
入力側同軸ケーブルを接続可能な入力側端子と、出力側同軸ケーブルを接続可能な出力側端子と、両端子を短絡可能な短絡材を備えた蓋と、
入力側端子に入力された高周波信号が通る高周波系路と、入力側端子に入力された電圧が通る電源電圧系路と、高周波信号を分岐する分岐端子とを備え、前記蓋に脱着可能なタップオフ本体とから構成され、
前記蓋にタップオフ本体が取付けられると、前記短絡材がタップオフ本体により押されて蓋の入力側端子と出力側端子の双方またはいずれか一方から離れ、タップオフ本体の高周波系路と電源電圧系路が入力側端子と出力側端子の双方に接触して、入力側端子に入力された高周波信号は高周波系路を通して、入力側端子に入力された電源電圧は電源電圧系路を通して夫々出力側端子に出力されると共に高周波信号は分岐端子に分岐され、
前記蓋からタップオフ本体を取り外すと、タップオフ本体による短絡材の前記押しが解除されて、短絡材が蓋の入力側端子と出力側端子の双方に接触して、入力側端子に入力された高周波信号及び電源電圧が短絡材を通して出力側端子に出力されるようにしたＣＡＴＶ用タップオフにおいて、
前記蓋にタップオフ本体に代えて、高周波系路、電源電圧系路、分岐端子を備えないダミー治具を取付けて、ダミー治具により蓋の短絡材を押して短絡材を蓋の入力側端子と出力側端子から分離させ、入力側端子に入力される高周波信号及び電源電圧のうち少なくとも電源電圧が出力側端子に出力されず、高周波信号が分岐端子に出力されないように遮断するほうほうである。
【０００７】
本件出願の請求項２記載の電源遮断用ダミー治具は、
入力側同軸ケーブルを接続可能な入力側端子と、出力側同軸ケーブルを接続可能な出力側端子と、両端子を短絡可能な短絡材を備えた蓋と、入力側端子に入力された高周波信号が通る高周波系路と、入力側端子に入力された電圧が通る電源電圧系路と、高周波信号を分岐する分岐端子とを備え、
前記蓋にタップオフ本体が取付けられると、前記短絡材がタップオフ本体により押されて蓋の入力側端子と出力側端子の双方またはいずれか一方から離れ、タップオフ本体の高周波系路と電源電圧系路が入力側端子と出力側端子の双方に接触して、入力側端子に入力された高周波信号が高周波系路を通して、電源電圧が電源電圧系路を通して夫々出力側端子に出力されると共に高周波信号は分岐端子に分岐され、
前記蓋からタップオフ本体を取り外すと、タップオフ本体による短絡材の前記押しが解除されて、短絡材が蓋の入力側端子と出力側端子の双方に接触し、入力側端子に入力された高周波信号及び電源電圧が短絡材を通して出力側端子に出力されるようにしたＣＡＴＶ用タップオフに、前記タップオフ本体に代えて蓋に取り付けるダミー治具であり、
ダミー治具は前記高周波系路、電源電圧系路、分岐端子を備えず、
前記蓋に取付けると短絡材を押して、短絡材を蓋の入力側端子と出力側端子から分離させて、入力側端子に入力される高周波信号及び電源電圧のうち少なくとも電源電圧が出力側端子に出力されず、高周波信号が分岐端子に出力されないように遮断するものである。
【０００８】
本件出願の請求項３記載の電源遮断用ダミー治具固定装置は、
請求項２記載の電源遮断用ダミー治具を、入力側同軸ケーブルを接続可能な入力側端子と、出力側同軸ケーブルを接続可能な出力側端子と、両端子を短絡可能な短絡材を備えた蓋にタップオフ本体に代えてセットし、
タップオフ用ダミー治具を蓋に螺子止めするか、
挟着治具により蓋と共に挟着して固定し、
前記螺子止めの解除または前記挟着治具による挟着を解除するとタップオフ用ダミー治具が蓋から離脱するようにしたものである。
【０００９】
本件出願の請求項４記載の電源遮断用ダミー治具固定装置は、
請求項３記載の蓋への電源遮断用ダミー治具の固定装置において、挟着治具がダミー治具の底面にあてがう支持部と、蓋の上面を押える回転レバーとを備え、
前記支持部をダミー治具の底面にあてがい、回転レバーを蓋の上に回転させると、底面あて部と回転レバーとにより蓋とタップオフ用ダミー治具とが挟着固定され、
回転レバーを回転させて蓋の上から外すとタップオフ用ダミー治具が蓋から外れるようにしたものである。
【発明の効果】
【００１０】
本件出願の請求項１記載のタップオフによる電源電圧遮断方法には次のような効果がある。
（１）蓋に取付けられているタップオフ本体を、電源電圧系路、高周波系路、分岐端子などの無い電源遮断用ダミー治具に付け替えて、入力端子に入力される高周波信号及び電源電圧のうち、少なくとも電源電圧を遮断して出力端子に出力されないようにするため、手軽に電源電圧を遮断することができる。
（２）タップオフの増設、保守などの工事を必要とする位置の直前のタップオフのタップオフ本体に電源遮断用ダミー治具を付け替えれば、停波するのは当該タップオフ以降のみとなるため、停波規模を小さくすることができる。
【００１１】
本件出願の請求項２記載の電源遮断用ダミー治具には次のような効果がある。
高周波系路、電源電圧系路、分岐端子を備えていないため、入力端子に入力側同軸ケーブルが接続され、出力端子に出力側同軸ケーブルが接続された蓋に、タップオフ本体に代えて取り付けるだけで、入力側端子に入力される電源電圧が出力側端子へ出力されるのを遮断し、入力側端子に入力される高周波信号が分岐端子に出力されるのを遮断することができる。
【００１２】
本件出願の請求項３記載の電源遮断用ダミー治具固定装置には次のような効果がある。
（１）電源遮断用ダミー治具をタップオフ本体に替えて蓋にセットし、そのタップオフ用ダミー治具を蓋に螺子止めするか、挟着治具により蓋に挟着固定し、前記螺子止めの解除または挟着治具による挟着固定を解除すると電源遮断用ダミー治具が蓋から離脱するようにしたので、蓋への電源遮断用ダミー治具の装着、離脱が容易になる。
【００１３】
本件出願の請求項４記載の電源遮断用ダミー治具固定装置には次のような効果がある。
（１）請求項３記載の電源遮断用ダミー治具固定装置の挟着治具が、電源遮断用ダミー治具の底面にあてがう支持部と、蓋の上面を押える回転レバーとを備え、支持部をダミー治具の底面にあてがい、回転レバーを蓋の上に回転させると、支持部と回転レバーとにより蓋とタップオフ用ダミー治具とが挟着固定され、回転レバーを回転させて蓋の上から外すとタップオフ用ダミー治具が蓋から外れるようにしたので、挟着治具を使用すれば、蓋へのダミー治具の装着、離脱が極めて容易になる。
【発明を実施するための最良の形態】
【００１４】
（実施形態１）
本発明のタップオフによる電源電圧遮断方法、電源遮断用ダミー治具、電源遮断用ダミー治具固定装置を図面に基づいて詳細に説明する。
本発明のタップオフによる電源電圧遮断方法は、図１（ａ）に示すようなタップオフにより、タップオフ１の入力端子に入力される電源電圧を出力端子に出力されないように遮断する方法である。タップオフ１は蓋２とそれに脱着可能なタップオフ本体３とからなる。蓋２の外周縁寄り内側の数箇所には下方開口の螺子孔が形成されており、その螺子孔にタップオフ本体３に差し込んである螺子４をねじ込むと、タップオフ本体３が蓋２に装着され、タップオフ本体３が蓋２に装着された状態で、螺子４を緩めるとタップオフ本体３が蓋２から外れるようにしてある。
【００１５】
前記蓋２は図１（ｂ）に示すように、下方開口の蓋ケース５に入力側ケーブルを脱着可能な入力側端子６と、出力側ケーブルを脱着可能な出力側端子７が形成され、蓋ケース５の内側で入力側端子６の内側に金属製の入力側ターミナル端子８が配置され、蓋ケース５の内側で出力側端子７の内側に金属製の出力側ターミナル端子９が配置され、蓋ケース５の天井面内側に金属製の細長帯状の短絡材１０が配置されている。入力側ターミナル端子８は入力側端子６に装着される入力側同軸ケーブルの中心導体が挿入されるとその中心導体と導通状態となり、出力側ターミナル端子９は出力側端子７に装着される出力側同軸ケーブルの中心導体が挿入されるとその中心導体と導通状態となるようにしてある。短絡材１０は軸方向両端部１０ａ、１０ｂが下向きに傾斜する板バネであり、タップオフ本体３を取付けない状態では一端が入力側ターミナル端子８に接触し、他端が出力側ターミナル端子９に接触して、入力側端子６に装着される入力側同軸ケーブルの中心導体−入力側ターミナル端子８−短絡材１０−出力側ターミナル端子９−出力側端子７−出力側同軸ケーブルの中心導体の導通が確保されるようにしてある。
【００１６】
前記した金属製の入力側ターミナル端子８及び出力側ターミナル端子９は、図３に示すように、蓋ケース５の内側に取付けられている樹脂製の保持具１１に内蔵されて、アルミニウムとか他の金属製の蓋ケース５に接触しないようにしてある。また、図２に示すように、金属製の短絡材１０は蓋ケース５の内側に取付けられている樹脂製の下方開口の細長カバー１２の内側に配置されてアルミニウムとか他の金属製の蓋ケース５に接触しないようにしてある。
【００１７】
短絡材１０の軸方向両端側下方には２本の押し具１３ａ、１３ｂが上下にスライド可能に配置されている。この押し具１３ａ、１３ｂは樹脂製のピン状であり、図３に示すように、蓋ケース５の内側に取付けられている樹脂製の支持具１４の差込孔１５に縦向きに差し込まれて上下にスライド可能としてあり、しかも、自重で降下しても支持具１４から抜け落ちないようにするため、短絡材１０側（上端側）の径を支持具１４の差込孔１５の径よりも大きくし、下端側の径をその差込孔１５に差込可能なるように細くしてある。
【００１８】
前記押し具１３は、蓋２にタップオフ本体３を取付けると、タップオフ本体３のプリント基板３２により押し上げられて上方にスライドし、短絡材１０の軸方向両端側を下方から押し上げて、その両端側を入力側ターミナル端子８及び出力側ターミナル端子９から押し離し、蓋２からタップオフ本体３を取り外すと短絡材１０の軸方向両端側の押し上げが解除されて、短絡材１０の軸方向両端側１０ａ、１０ｂがそのバネ力で下向きになって入力側ターミナル端子８及び出力側ターミナル端子９に接触するようにしてある。
【００１９】
前記タップオフ本体３は図１（ａ）に示すように、アルミニウムとか他の金属製の本体ケース３０の底面に分岐端子３１が突設され、本体ケース３０の上面にプリント基板３２が取付けられている。プリント基板３２にはチョークコイル、コンデンサ、抵抗等の電子部品が搭載され、それらが結線されて、図４に示すように、高周波信号が通る高周波系路、電源電圧が通る電源電圧系路（低周波系路）といった、タップオフとして必要な各種回路や系路が形成されている。
【００２０】
タップオフの電気回路の基本構成は図４に示すように、入力側端子６と出力側端子７との間に分岐器３５が接続され、その分岐器３５に二分配器３７を介して分岐端子３１が接続されている。また、分岐器の上流側と入力側端子６との間にコンデンサＣ１を、分岐器の下流側と出力側端子７との間にコンデンサＣ２を接続して、電源電圧（低周波）をカットして高周波信号だけが通過できる高周波系路３３が形成され、入力側端子６と出力側端子７との間に並列にチョークコイルＬを入れて、高周波信号をカットして電源電圧だけが通過できる電源電圧系路３４が形成されている。
【００２１】
プリント基板３２には、図１（ａ）に示すように、金属製の電極３６ａ、３６ｂが２本突設されている。この電極３６ａ、３６ｂは、タップオフ本体３を蓋２に装着すると入力側ターミナル端子８、出力側ターミナル端子９に挿入されて、それらターミナル端子８、９を介して、入力側端子６に接続された入力側同軸ケーブル、出力側端子７に接続された出力側同軸ケーブルの中心導体と接触するようにしてある。この場合、入力側端子６に入力された高周波信号及び電源電圧のうち、高周波信号は図４の高周波系路３３を通って出力側端子７に出力されると共に分岐器３５で分岐されて分岐端子３１にも出力され、電源電圧は図４の電源電圧系路３４を通って出力側端子７に出力されるようにしてある。
【００２２】
また、タップオフ本体３を蓋２に装着すると、タップオフ本体３のプリント基板３２によって蓋２の押し具１３が押し上げられ、その押し具１３により短絡材１０の軸方向両端部１０ａ、１０ｂが押し上げられて、当該両端部１０ａ、１０ｂが入力側ターミナル端子８、出力側ターミナル端子９から離される。この場合、短絡材１０は入力側端子６、出力側端子７から電気的に切り離される。
【００２３】
タップオフ本体３を蓋２から取り外すと、プリント基板３２の電極３６ａ、３６ｂが入力側ターミナル端子８、出力側ターミナル端子９から抜去されて、タップオフ本体３の高周波系路３３も、電源電圧系路３４も入力側端子６、出力側端子７から電気的にも切り離される。この場合、入力側端子６に入力された高周波信号も電源電圧も分岐端子３１に出力されなくなる。
【００２４】
また、タップオフ本体３を蓋２から取り外すと、タップオフ本体３のプリント基板３２による蓋２の押し具１１の押し上げが解除され、押し具１１による短絡材１０の軸方向両端部１０ａ、１０ｂの押し上げが解放されて、当該両端部１０ａ、１０ｂがその復元力で下向きになって入力側ターミナル端子８、出力側ターミナル端子９に接触する。これにより、短絡材１０が入力側ターミナル端子８を介して入力側端子６に、出力側ターミナル端子９を介して出力側端子７に電気的に接続されるため、入力側端子６に入力された高周波信号も電源電圧も短絡材１０を通って出力側端子７に出力される。
【００２５】
本発明では前記したタップオフ本体３に代えてダミー治具を付け替えることにより、入力側端子６に入力された高周波信号及び電源電圧が遮断されて出力側端子７に出力されないようにする。
【００２６】
前記ダミー治具を図５に基づいて説明する。図５のダミー治具４０は金属製、硬質樹脂製といった各種材質製のダミー用筐体４１に、絶縁材製の板状の押し材４２が設けられている。ダミー用筐体４１は前記蓋１２に適合する形状に成形されており、一例としてはタップオフ本体３の本体ケース３０をそのまま使用することができる。ダミー用筐体４１の周縁部の３箇所には螺子孔４３が上下に貫通されており、図６（ａ）（ｂ）に示すように、それら螺子孔４３の下から差し込んだ螺子を蓋２の螺子孔にねじ込むことにより、ダミー治具４０を蓋２に装着固定することができ、その螺子を緩めることにより、ダミー治具４０を蓋２から取り外すことができる。ダミー用筐体４１には分岐端子が設けられていない。
【００２７】
ダミー治具４０の押し材４２は図１（ｃ）のように蓋２に装着したときに、蓋２の押し具１３を押し上げて、蓋２の短絡材１０の軸方向両端部１０ａ、１０ｂを入力側ターミナル端子８、出力側ターミナル端子９から分離させて、入力側端子６に入力される高周波信号及び電源電圧のうち少なくとも電源電圧が出力側端子７に出力されず、高周波信号が分岐端子３１に出力されないように遮断するものである。
【００２８】
図５の押し材４２にはタップオフ本体３に使用されるプリント基板を使用することができる、その場合、そのプリント基板にはコンデンサ、チョークコイル、抵抗、といった電子部品は一切当されず、配線もされず、前記高周波系路、電源電圧系路が形成されていない。押し材４２は前記機能を発揮できるものであれば、形状は任意のものとすることができる。
【００２９】
（使用例１）
本発明の電源遮断用ダミー治具及び蓋への電源遮断用ダミー治具の固定装置を用いて、本発明の電源電圧遮断方法を実施するには、以下のようにする。
１．初めは、図１（ａ）に示すように、タップオフ１は、蓋２と本体３とを組み合わせて形成されている。
２．図１（ｂ）に示すように、ねじ４を外して本体３を蓋２から取りはずす。押し具１３による短絡材１０の軸方向両端側の押し上げが解除されて、短絡材１０の軸方向両端側１０ａ、１０ｂがそのバネ力で下向きになって入力側ターミナル端子８及び出力側ターミナル端子９に接触する。この状態の下では、入力側端子６に入力された高周波信号も電源電圧も短絡材１０を通って出力側端子７に出力される。
３．本発明のダミー治具４０を、蓋２に取り付け、螺子孔４３の下から差し込んだ螺子を蓋２の螺子孔にねじ込むことにより、ダミー治具４０を蓋２に装着固定することができる。
４．ダミー治具４０を取付けたことによって、図１（ｃ）に示すように、押し材４２が蓋２内の押し具１３の下端部を押し上げて、蓋２の短絡材１０の軸方向両端部１０ａ、１０ｂを入力側ターミナル端子８、出力側ターミナル端子９から分離させて、入力側端子６に入力される高周波信号及び電源電圧のうち少なくとも電源電圧が出力側端子７に出力されず、高周波信号が分岐端子３１に出力されないように遮断する。
５．ダミー治具４０は、その螺子を緩めることにより、蓋２から取り外すことができる。
【００３０】
（実施形態２）
図５のダミー治具４０は前記図６（ａ）（ｂ）のように蓋２に螺子止めすることができるが、挟着治具を使用して蓋２に固定することもできる。挟着治具の一例として図５に示すものは、ダミー治具４０のダミー用筐体４１の底面にあてがう支持部４４と、蓋２の上面を押える回転レバー４５とを備えており、回転レバー４５は支持部４４から立設した２本の丸棒状の回転軸４６の上端部に矢印ａ−ａ´方向に回動可能に取付けられている。
【００３１】
（使用例２）
前記挟着治具４７を使用してダミー治具４０を蓋２に固定する場合、前記実施形態１のダミー治具４０とほぼ同様の手順によって固定するが、本実施形態のダミー治具４０の場合はには次のようにする。図７（ａ）〜（ｃ）に示すように、蓋２の下に重ねてセットしたダミー治具４０の底面に、挟着治具４７の支持部４４の上面をあてがい、回転レバー４５を蓋２の上に回転させると、重ねてセットされている蓋２とダミー治具４０とが支持部４４と回転レバー４５との間に挟着固定される。回転レバー４５を逆回転させて蓋２の上から外すと、ダミー治具４０を蓋２から取り外すことができる。
【００３２】
（その他の実施形態）
ダミー治具と蓋との固定方法は前記各実施形態に記載のものには限られず、例えば挟着治具を備えたダミー治具によって固定する等、任意の手段によることができる。
【００３３】
前記各実施形態においては、蓋２には押し具１３が備えられ、押し材４２は板状であったが、短絡材１０を押しあげることができれば、押し具を押し材上に備える等、蓋の内部と押し材は任意の形状とすることができる。
【産業上の利用可能性】
【００３４】
本発明のタップオフによる電源電圧遮断方法と、それに用いる電源遮断用ダミー治具と、蓋への電源遮断用ダミー治具の固定装置は、簡易に、且つ最小限の電源電圧遮断が可能であるため、ＣＡＴＶの分野に限らず、電源電圧遮断が必要な多くの分野について用いることができる。
【図面の簡単な説明】
【００３５】
【図１】（ａ）は、本発明の電源遮断用ダミー治具を使用するタップオフを示す断面図。（ｂ）は、（ａ）に示すタップオフの蓋を示す断面図。（ｃ）は、本発明の電源遮断用ダミー治具の実施形態の一例を示す断面図。
【図２】本発明の電源遮断用ダミー治具を使用するタップオフの蓋の内部の様子を示す側面断面図。
【図３】タップオフの蓋内部の押し具の様子を示す断面図。
【図４】タップオフ回路の様子を示す説明回路図。
【図５】図１（ｃ）に示す電源遮断用ダミー治具を示す斜視図。
【図６】（ａ）は、本発明の電源遮断用ダミー治具の使用の様子の一例を示す背面図。（ｂ）は、本発明の電源遮断用ダミー治具の使用の様子の一例を示す側面図。
【図７】（ａ）は、本発明の電源遮断用ダミー治具の使用の様子の他の一例を示す平面図。（ｂ）は、本発明の電源遮断用ダミー治具の使用の様子の他の一例を示す背面図。（ｃ）は、本発明の電源遮断用ダミー治具の使用の様子の他の一例を示す側面図。
【図８】ＣＡＴＶの伝送路の様子を示す説明図。
【符号の説明】
【００３６】
１  タップオフ
２  蓋
３  本体
４  ねじ
１０  短絡材
１３  押し具
４０  ダミー治具
４１  ダミー用筐体
４２  押し材
４３  螺子孔
４７  挟着治具
【図１】
2005051502.tif 000003
【図２】
2005051502.tif 000004
【図３】
2005051502.tif 000005
【図４】
2005051502.tif 000006
【図５】
2005051502.tif 000007
【図６】
2005051502.tif 000008
【図７】
2005051502.tif 000009
【図８】
2005051502.tif 000010